(57)【要約】【課題】太陽電池パネルの固定に必要な部材の点数を減少させることができるとともに、太陽電池パネルの取付け，交換やメンテナンス等を容易に行うことができるようにすること。【解決手段】構築物の外側面に複数枚の太陽電池パネル１３を並べて支持する太陽電池パネル支持装置において、構築物の外側面に固定される支持部材１４と、その支持部材１４上に脱着可能に取り付けられる押さえ部材２１とを備える。支持部材１４には、隣接する２枚の太陽電池パネル１３の対向する端縁部１３ａ，１３ｂのうちの一方の端縁部１３ａを挿入するための側方に開口する溝状の係止部１９と、他方の端縁部１３ｂの裏面及び端面を支持するための支持部２０とを設ける。支持部２０上に押さえ部材２１を取り付けることにより、太陽電池パネル１３の他方の端縁部１３ｂの表面を押さえる。【選択図】図３
2011026831.tif 000002
【特許請求の範囲】
【請求項１】
構築物の外側面に複数枚の太陽電池パネルを並べて支持するための太陽電池パネル支持装置において、
構築物の外側面に固定される支持部材と、その支持部材上に脱着可能に取り付けられる押さえ部材とを備え、
前記支持部材には、隣接する２枚の太陽電池パネルの対向する端縁部の裏面を載置状態で受けるための一対の受け面と、両太陽電池パネルの端面にそれぞれ対向する一対の突条とを設け、前記一方の突条には一方の太陽電池パネルの表面を押さえるための押さえ部を形成し、他方の突条には他方の太陽電池パネルの表面を押さえるとともに、両突条間の開口を覆う前記押さえ部材を固定したことを特徴とする太陽電池パネル支持装置。
【請求項２】
前記両突条間の間隙を配線の収容空間としたことを特徴とする請求項１に記載の太陽電池パネル支持装置。
【請求項３】
前記押さえ部材を突条の上端の折曲部にネジにより着脱可能に固定したことを特徴とする請求項１または２に記載の太陽電池パネル支持装置。
【発明の詳細な説明】
【技術分野】
【０００１】
この発明は、建物等の構築物において、屋上等の外側面に複数枚の太陽電池パネルを並べて支持するための太陽電池パネル支持装置に関するものである。
【背景技術】
【０００２】
従来、この種の太陽電池パネル支持装置としては、例えば図５及び図６に示すような構成が提案されている。この従来構成においては、建物の屋上等の外側面に複数の鋼材よりなる骨組材３１が間隔をおいて平行に固定されている。骨組材３１上には複数枚の太陽電池パネル３２が間隔をおいた状態で、縦横に並べて支持されている。各太陽電池パネル３２の端面には、上方に向かって開口する係止溝部３３が端面の延長方向の全長にわたって形成されている。隣接する太陽電池パネル３２の端面間において、それらの係止溝部３３には断面ほぼ逆Ｕ字状をなす各一対の取付金具３４が嵌着されている。そして、これらの取付金具３４がボルト３５及びナット３６よって骨組材３１に締着されることにより、各太陽電池パネル３２が骨組材３１に対して固定されている。
【０００３】
また、従来の太陽電池パネル支持装置としては、例えば特許文献１に開示されるような構成も提案されている。この従来構成においては、建物の屋上に支持レールが配置されている。太陽電池パネルは、外周に枠を有し、その枠においてネジにより支持レール上に固定されている。この状態においては、太陽電池パネルが支持レール上に相互に隙間をおいた状態で並べて支持される。また、隣接する太陽電池パネル間の前記隙間には継ぎ目パネルが設けられ、その継ぎ目パネルは、前記隙間を横切って前記支持レールに固定されるネジによって継ぎ目を覆うように配置されている。
【先行技術文献】
【特許文献】
【０００４】
【特許文献１】特開平１１−３２４２４６号公報
【発明の概要】
【発明が解決しようとする課題】
【０００５】
ところが、これらの従来の太陽電池パネル支持装置においては、次のような問題があった。
図５及び図６に示す従来構成においては、隣接する太陽電池パネル３２の長辺部分を各一対の取付金具３４よって固定しているため、全体として多数の取付金具３４が必要になって、太陽電池パネル３２の固定や取外しに手間がかかるものであった。しかも、取付金具３４の位置が特定されていないため、その取付金具３４の位置決めに手間がかかるものであった。従って、太陽電池パネル３２の組立て時だけではなく、太陽電池パネル３２の交換やメンテナンスを行う場合にも手間がかかるものであった。また、太陽電池パネルとして、その外枠部に係止溝部３３が形成された特殊構造のものが必要とされた。
【０００６】
さらに、特許文献１に記載の従来構成においては、各太陽電池パネルの枠体の固定部がそれぞれ複数のネジよって支持レールに固定されるため、部品点数が多くなるとともに、固定や取外し作業に手間がかかるものであった。従って、この特許文献１の構成においても、太陽電池パネル３２の組立て時だけではなく、太陽電池パネル３２の交換やメンテナンスを行う場合にも手間がかかるものであった。しかも、継ぎ目パネルを固定するためのネジが太陽電池パネル間の隙間を横切るため、隙間内に電線を収容する場合、そのネジが邪魔によって電線の収容が困難になるという問題もあった。
【０００７】
この発明は、このような従来の技術に存在する問題点に着目してなされたものである。その目的は、太陽電池パネルの固定に必要な部材の数量を減少させることができて、太陽電池パネルの取付け，交換やメンテナンス等を容易に行うことができ、しかも太陽電池パネル間の隙間に電線を適切に収容することができる太陽電池パネル支持装置を提供することにある。
【課題を解決するための手段】
【０００８】
上記の目的を達成するために、この発明は、構築物の外側面に複数枚の太陽電池パネルを並べて支持するための太陽電池パネル支持装置において、構築物の外側面に固定される支持部材と、その支持部材上に脱着可能に取り付けられる押さえ部材とを備え、前記支持部材には、隣接する２枚の太陽電池パネルの対向する端縁部の裏面を載置状態で受けるための一対の受け面と、両太陽電池パネルの端面にそれぞれ対向する一対の突条とを設け、前記一方の突条には一方の太陽電池パネルの表面を押さえるための押さえ部を形成し、他方の突条には他方の太陽電池パネルの表面を押さえるとともに、両突条間の開口を覆う前記押さえ部材を固定したことを特徴としている。
【０００９】
従って、この発明の太陽電池パネル支持装置においては、あらかじめ構築物の外側面に複数の支持部材を平行に配列しておけば、隣接する支持部材における一方の支持部材の受け面と押さえ部との間に太陽電池パネルの一方の端縁部を挿入するとともに、他方の支持部材の支持部に太陽電池パネルの他方の端縁部を支持することにより、複数枚の太陽電池パネルを支持部材上に並べて配置することができる。その後、各支持部材の一方の突条に押さえ部材を取り付けることにより、支持部材の支持部に支持されている太陽電池パネルの端縁部を押さえて固定することができる。このため、従来構成とは異なり、太陽電池パネルを固定するのに多数の取付金具を用いたり、多数のボルトを用いたりする必要がなく、太陽電池パネルの固定に必要な部材の数量を減少させることができる。よって、固定作業を簡略化することができる。しかも、押さえ部材が支持部材に対して脱着可能に取り付けられるため、押さえ部材を支持部材上から取り外すことにより、太陽電池パネルを支持部材上から簡単に取り出すことができて、太陽電池パネルのメンテナンス等の作業を容易に行うことができる。
【００１０】
前記の構成において、前記両突条間の間隙を配線の収容空間とすることが好ましい。
また、前記の構成において、前記押さえ部材を突条の上端の折曲部にネジにより着脱可能に固定することが好ましい。
【発明の効果】
【００１１】
以上のように、この発明によれば、太陽電池パネルを固定するのに必要な構成を簡略化できるとともに、太陽電池パネルの固定作業を容易に行うことができるという効果を発揮する。
【図面の簡単な説明】
【００１２】
【図１】第１実施形態の太陽電池パネル支持装置を示す要部斜視図。
【図２】図１の２−２線における部分拡大断面図。
【図３】図１の太陽電池パネル支持装置の一部を拡大して示す分解斜視図。
【図４】図２の太陽電池パネル支持装置の分解断面図。
【図５】従来の太陽電池パネル支持装置を示す要部平面図。
【図６】図５の６−６線における部分拡大断面図。
【発明を実施するための形態】
【００１３】
以下に、この発明を具体化した太陽電池パネル支持装置の一実施形態を、図１〜図４に従って説明する。
図１及び図２に示すように、建物（構築物）の外側面１１としての屋上には、複数のＣ形鋼よりなる骨組材１２が間隔をおいて平行に固定されている。骨組材１２上には複数枚の太陽電池パネル１３が支持部材１４を介して、縦横に相互間隔をおいた状態で載置されて支持されている。
【００１４】
図１〜図３に示すように、前記支持部材１４はその底部に長尺平板状の本体部１４ａを備え、この本体部１４ａが座金１５を介して複数のボルト１６及びナット１７により骨組材１２の上面に沿って延びる向きで固定されている。支持部材１４の本体部１４ａにおける両幅端部の上面が一対の受け面１４ｄとなっている。また、本体部１４ａの上面には、第１突条１４ｂ及び第２突条１４ｃが本体部１４ａの幅方向に間隔をおいた状態で、本体部１４ａの長さ方向の全長にわたって平行に延びるように形成されている。第１突条１４ｂ及び第２突条１４ｃの上端には同方向に向かって折曲部１４ｅ，１４ｆが形成されている。一方の折曲部１４ｆは他方の折曲部１４ｅよりも低いところに位置している。また、この他方の折曲部１４ｅは押さえ部を構成している。前記ボルト１６の位置に対応するように、第２突条１４ｃの折曲部１４ｆには工具挿通用の凹部１８が形成されている。
【００１５】
図２及び図３に示すように、前記支持部材１４の一側上部には、その本体部１４ａ，第１突条１４ｂ及び折曲部１４ｅにより、側方に向かって開口する溝状の係止部１９が形成されている。そして、この係止部１９には、隣接する２枚の太陽電池パネル１３の対向する端縁部１３ａ，１３ｂのうちの一方の端縁部１３ａが挿入される。各支持部材１４の他側上部には、その本体部１４ａと前記第２突条１４ｃとにより、上方を開放した支持部２０が形成されている。そして、この支持部２０には、太陽電池パネル１３における他方の端縁部１３ｂが支持される。
【００１６】
図１〜図３に示すように、前記支持部材１４の支持部２０上において第２突条１４ｃの上面には、骨組材１２と同方向に延びる長尺平板状の押さえ部材２１が複数のネジ２２により脱着可能に取り付けられている。そして、この押さえ部材２１により太陽電池パネル１３における他方の端縁部１３ｂの表面が押さえられる。
【００１７】
図２及び図３に示すように、前記本体部１４ａと第１突条１４ｂと第２突条１４ｃとの間には、太陽電池パネル１３の表面側に向かって開口するとともに、本体部１４ａの長さ方向の全長にわたって延びる空間２３が形成されている。そして、各太陽電池パネル１３に接続された電線２４が、この空間２３内に収容されるようになっている。また、電線２４の収容状態で、支持部材１４の第２突条１４ｃ上に押さえ部材２１が取り付けられることにより、空間２３の開口が閉鎖されるようになっている。
【００１８】
次に、前記のように構成された太陽電池パネル支持装置により、建物の外側面１１である屋上に太陽電池パネル１３を設置する方法について説明する。
さて、この太陽電池パネル１３の設置に際しては、あらかじめ建物の外側面１１に複数の骨組材１２が平行に配置されて固定され、それらの骨組材１２上に支持部材１４が座金１５を介して、複数のボルト１６及びナット１７により固定される。そして、図３及び図４に示すように、隣接する一対の支持部材１４間に太陽電池パネル１３が支持される。すなわち、太陽電池パネル１３の端縁部１３ａの裏面を支持部材１４の両幅端部の受け面１４ｄに載置すれば、一方の太陽電池パネル１３の端縁部１３ａが係止部１９に挿入されて、その表面が折曲部１４ｅにより押さえられる。また、他方の太陽電池パネル１３の端縁部１３ａが支持部材１４の他方の支持部２０に支持される。このため、複数枚の太陽電池パネル１３を支持部材１４上に整然と並べて配置することができる。
【００１９】
その後、図４に鎖線で示すように、各太陽電池パネル１３に接続された電線２４を、支持部材１４上の空間２３内に収容して配線する。この状態で、支持部材１４の第２突条１４ｃ上の折曲部１４ｆに押さえ部材２１を配置してネジ２２により固定すると、図２に示すように、その押さえ部材２１により太陽電池パネル１３の他方の端縁部１３ｂの表面が押さえられる。それとともに、支持部材１４上の空間２３内の電線２４が外部に露出しないように、押さえ部材２１により空間２３の開口が閉鎖される。
【００２０】
従って、この実施形態においては、以下の効果がある。
（１）  この実施形態の太陽電池パネル支持装置においては、長尺状の支持部材１４と長尺状の押さえ部材２１を用いることにより、太陽電池パネル１３を設置することができる。このため、従来構成とは異なり太陽電池パネルを固定するために多数の取付金具を用いたり、多数のボルトを用いたりする必要がなく、太陽電池パネルの固定に必要な部材を減少させることができる。よって、材料費を節減することができるとともに、太陽電池パネル１３の固定作業やメンテナンス作業を容易化することができる。
【００２１】
（２）  この実施形態においては、押さえ部材２１を取外すことにより、太陽電池パネル１３の一方の端縁部１３ａの表面側が開放された解放状態となる。従って、太陽電池パネル１３の解放された側の端縁部１３ａを少し上げて、他方側の端縁部１３ｂを係止部１９から引き抜けばよい。太陽電池パネル１３の取付け時には、この逆順にすればよい。以上のように、太陽電池パネル１３の脱着はきわめて容易で、メンテナンスやパネル交換等の手間を少なくすることができる。
【００２２】
（３）  この実施形態の太陽電池パネル支持装置においては、支持部材１４の係止部１９と支持部２０との間に、太陽電池パネル１３の表面側に向かって開口する空間２３が形成されている。このため、前述した特許文献１とは異なり、各太陽電池パネル１３に接続された電線２４を空間２３内に問題なく収容することができる。
【００２３】
（４）  この実施形態の太陽電池パネル支持装置においては、押さえ部材２１が折曲部１４ｆの上面に設置されているため、押さえ部材２１を固定するためのネジ２２の頭は上向きになる。従って、ネジ２２の脱着を簡単に行うことができる。
【００２４】
（５）  この実施形態の太陽電池パネル支持装置においては、空間２３内の電線のメンテナンス作業等を行う場合には、押さえ部材２１を取り外すことによりその作業等を容易に行うことができる。
【００２５】
（６）  この実施形態の太陽電池パネル支持装置においては、押さえ部材２１により空間２３内の電線２４が外部に露出することを防止することができて、外観を向上させることができるとともに、紫外線による電線の外皮の劣化を抑制できる。
【００２６】
（変更例）
なお、この実施形態は、次のように変更して具体化することも可能である。
・  前記実施形態においては、太陽電池パネル１３を建物の屋上に設置する構成であったが、太陽電池パネル支持装置を建物の外壁面に設置して、太陽電池パネルをその外壁に横向きに支持できるようにすること。この場合、骨組材１２及び支持部材１４が水平方向に延在するように配置されることが好ましい。
【００２７】
・  前記実施形態における骨組材１２を設けることなく、支持部材１４を建物等の外側面１１に直接固定すること。
・  本発明を具体化した太陽電池パネル支持装置を建物の外側面以外の場所、例えば公園の敷地や堤防の斜面等に設置すること。
【００２８】
（他の技術的思想）
前記実施形態から把握されるが、請求項に記載されていない技術的思想は以下の通りである。
【００２９】
（Ａ）  前記支持部材を平行な複数の骨組材上に設置したことを特徴とする請求項１〜３のうちのいずれか一項に記載の太陽電池パネル支持装置。このようにすれば、太陽電池パネル支持装置を建物の外側面に適切に支持できる。
【００３０】
（Ｂ）  前記骨組材をＣ型鋼により構成し、前記支持部材を板材により構成したことを特徴とする前記技術的思想（Ａ）項に記載の太陽電池パネル支持装置。このように構成すれば、軽量化が可能となる。
【符号の説明】
【００３１】
１１…構築物の外側面、１２…骨組材、１３…太陽電池パネル、１３ａ，１３ｂ…端縁部、１４…支持部材、１４ａ…本体部、１４ｂ…第１突条、１４ｃ…第２突条、１４ｄ…受け面、１４ｅ…折曲部、１４ｆ…折曲部、１９…係止部、２０…支持部、２１…押さえ部材、２２…ネジ、２３…空間、２４…電線。
【図１】
2011026831.tif 000003
【図２】
2011026831.tif 000004
【図３】
2011026831.tif 000005
【図４】
2011026831.tif 000006
【図５】
2011026831.tif 000007
【図６】
2011026831.tif 000008